(57)【要約】      （修正有）【課題】清掃効率が高く、ごみ袋の交換も簡単であり、収納および整理整頓がしやすいごみ収集器具を提供する。【解決手段】ごみ収集器具は、柄と、柄の下端に接続されるフレーム２と、を含む。フレーム２の中心はごみ袋の入口を構成する。フレーム２には、ごみ袋を固定することができる挟持具がさらに設置されている。挟持具は、フレーム２に接続される固定挟持具３１と、固定挟持具３１に接続される可動挟持具３２と、を含む。固定挟持具３１には、フレーム２の中心から離れる方向に延びる留め鈎３１３が成形されている。可動挟持具３２には、留め鈎３１３と適合する留め溝３２０が成形されている。可動挟持具３２は、固定挟持具３１に対して回動することができ、留め溝３２０を留め鈎３１３に係合させる。【選択図】図３
0003221813.tif 000002
【実用新案登録請求の範囲】
【請求項１】
柄（１）と、前記柄（１）の下端に接続されるフレーム（２）と、を含み、前記フレーム（２）の中心はごみ袋の入口を構成し、前記フレーム（２）にはごみ袋を固定することができる挟持具（３）がさらに設置されており、
前記挟持具（３）は、前記フレーム（２）に接続される固定挟持具（３１）と、前記固定挟持具（３１）に接続される可動挟持具（３２）と、を含み、前記固定挟持具（３１）には、前記フレーム（２）の中心から離れる方向に延びる留め鈎（３１３）が成形されており、前記可動挟持具（３２）には、前記留め鈎（３１３）と適合する留め溝（３２０）が成形されており、前記可動挟持具（３２）は、前記固定挟持具（３１）に対して回動し、前記留め溝（３２０）を前記留め鈎（３１３）に係合させることを特徴とする、ごみ収集器具。
【請求項２】
前記固定挟持具（３１）には、第１係止フック（３１１）および第２係止フック（３１２）が前記フレーム（２）の中心を向いて成形されており、前記第１係止フック（３１１）は前記フレーム（２）の後端に係止し、前記第２係止フック（３１２）は、前記フレーム（２）の前端に係止することを特徴とする、請求項１に記載のごみ収集器具。
【請求項３】
前記フレーム（２）の最下端の内壁は、前記フレーム（２）の底面に平行かつ前記フレーム（２）の底面よりも高い平台（２０）であり、前記平台（２０）の両側にはどちらにも、前記フレーム（２）の底面に向かって傾斜するガイド板（２１）が接続されていることを特徴とする、請求項１に記載のごみ収集器具。
【請求項４】
前記挟持具（３）は前記フレーム（２）の最上面と側面に設置されることを特徴とする、請求項３に記載のごみ収集器具。
【請求項５】
前記フレーム（２）の最上端の中央部には、前記柄（１）の下端と取り外し可能に接続される接続ベース（２２）が成形されていることを特徴とする、請求項１に記載のごみ収集器具。
【請求項６】
前記接続ベース（２２）は中空管状を呈し、前記接続ベース（２２）の内部にはベース（４）が設置されており、前記ベース（４）と前記接続ベース（２２）とは、バックル構造によって接続され、
前記ベース（４）の底部には、前記柄（１）の下端端部を位置決めすることのできる位置制限凹溝（４２）がさらに成形されていることを特徴とする、請求項５に記載のごみ収集器具。
【請求項７】
前記柄（１）は、伸縮可能なロッドであることを特徴とする、請求項１に記載のごみ収集器具。
【請求項８】
前記柄（１）は、外管（１１）および内管（１２）を含み、前記内管（１２）の上端には錐形のスクリューロッド（５２）が設けられており、前記外管（１１）の内部には前記スクリューロッド（５２）と螺接して共働する開口膨張リング（５１）が設けられており、前記外管（１１）または前記内管（１２）を回すことにより、前記内管と前記外管を固定する相対位置を調節することができることを特徴とする、請求項７に記載のごみ収集器具。
【請求項９】
前記柄（１）の上端には柄カバー（６）が設けられていることを特徴とする、請求項１に記載のごみ収集器具。
【請求項１０】
前記柄カバー（６）の上端にはフック（７）が設けられていることを特徴とする、請求項９に記載のごみ収集器具。
【考案の詳細な説明】
【技術分野】
【０００１】
本考案は、清掃用具の分野に関し、具体的にはごみ収集器具に関する。
【背景技術】
【０００２】
現在、ごみを除去するには、一般に、まず箒でごみを掃いて塵取りに入れ、塵取り内のごみをごみ箱またはごみ袋の中に入れて集める。ごみの量が比較的多い時には、上述の作業を何度も繰り返してごみをきれいに除去する必要があるので、時間と労力を費やしてしまう。
【考案の概要】
【考案が解決しようとする課題】
【０００３】
本考案が解決しようとする技術的課題は、上述の技術の現状に対し、清掃工程を簡易化することができ、清掃効率の高いごみ収集器具を提供することである。
【課題を解決するための手段】
【０００４】
本考案が上述の技術的課題を解決するために採用した技術的手段は、以下である。ごみ収集器具は、以下を特徴とする。ごみ収集器具は、柄と、柄の下端に接続されるフレームを含む。フレームの中心はごみ袋の入口を構成する。フレームには、ごみ袋を固定できる挟持具がさらに設置されている。挟持具は、フレームに接続される固定挟持具と、固定挟持具に接続される可動挟持具と、を含む。固定挟持具には、フレームの中心から離れる方向に延びる留め鈎が成形されている。可動挟持具には、留め鈎と適合する留め溝が成形されている。可動挟持具は、固定挟持具に対して回動し、留め溝を留め鈎に係合させる。
【０００５】
挟持具をフレームに接続しやすいように、固定挟持具には、第１係止フックおよび第２係止フックが、フレームの中心を向いて成形されている。第１係止フックはフレームの後端に係止され、第２係止フックはフレームの前端に係止する。
【０００６】
ごみをより簡単にごみ袋に掃き入れるために、フレームの最下端の内壁は、フレーム底面に平行かつフレーム底面よりも高い平台である。平台の両側にはどちらにも、フレームの底面に向かって傾斜するガイド板が接続されている。
【０００７】
さらに皺なくごみ袋をフレームに固定するために、挟持具はごみ箱の最上面と側面に設置される。
【０００８】
ごみ袋を柄の下端に取り付けやすいように、フレームの最上端の中央部には柄の下端と取り外し可能に接続される接続ベースが成形されている。
【０００９】
柄の下端と接続ベースとを接続しやすいように、接続ベースは中空管状を呈す。接続ベースの内部にはベースが設置されている。ベースと接続ベースとは、バックル構造によって接続される。ベースの底部にはさらに、柄の下端端部を位置決めすることができる位置制限凹溝が成形されている。
【００１０】
実際の使用状況に応じて、清掃用熊手の長さを調整しやすいように、柄は伸縮可能なロッドである。
【００１１】
伸縮可能構造の設計の１つとして、柄は、外管および内管を含む。内管の上端には錐形スクリューロッドが設けられており、外管の内部にはスクリューロッドと螺接して共働する開口膨張リングが設けられている。外管または内管を回すことにより、内管と外管を固定する相対位置を調節することができる。ここで、バックル、弾性ピン、ロック具などの方法によって柄を伸縮可能にしてもよい。
【００１２】
ごみ収集器具を握った感触を良くするために、柄の上端には柄カバーが設けられている。
【００１３】
ごみ収集器具を掛けやすくするため、柄カバーの上端にはフックが設けられている。
【考案の効果】
【００１４】
既存の技術と比べて、本考案の特長は以下にある。ごみを除去する必要がある時に、箒と組み合わせて使用して、清掃と袋への投入をワンステップで実現することができるので、清掃工程を簡易化し、清掃効率を向上させることができる。掃除する必要がない時は、柄とフレームを取り外すことができるので、置いておく時に占める空間もより小さくなり、収納および整理整頓がしやすい。オーダーメードのごみ袋を使用する必要がなく、市販の任意のごみ袋と組み合わせて使用することができるので、ごみ袋の交換を簡単に素早く行うことができ、衛生的である。
【図面の簡単な説明】
【００１５】
【図１】本考案の実施例の斜視構造図。
【図２】図１のＡ−Ａ方向の断面図。
【図３】図２のＢ部分の拡大図。
【図４】図１の縦断面図。
【図５】図４のＣ部分の拡大図。
【図６】図４のＤ部分の拡大図。
【考案を実施するための形態】
【００１６】
以下、図面と実施例を結びつけて、本考案について、さらに詳しく説明する。
【００１７】
図１〜６に示すのは、本考案の１つの好ましい実施例である。
【００１８】
図１に示すように、ごみ収集器具は、柄１と、フレーム２と、挟持具３と、を含む。柄１は、外管１１および内管１２を含む。外管１１の下端と内管１２の上端は伸縮可能な構造によって接続される。内管１２の下端とフレーム２の最上端の中央部は取り外し可能に接続されている。挟持具３は、フレーム２の最上面と側面に設置される。ごみ袋は、フレーム２の中心から入って挟持具３によりフレーム２に固定される。フレーム２の最下端の内壁は、フレーム２の底面に平行かつフレーム２の底面よりも高い平台２０である。平台２０の両側にはどちらにも、フレーム２の底面に向かって傾斜するガイド板２１が接続されている。このガイド板２１は、ごみをより素早くごみ袋の中に入れるのに役立つ。外管１１の最上端にはさらに柄カバー６が取り付けられており、柄カバー６には掛けるのに便利なフック７が取り付けられている。
【００１９】
図２〜３に示すように、挟持具３は、固定挟持具３１および可動挟持具３２を含む。固定挟持具３１はフレーム２に接続される。具体的には、固定挟持具３１には、フレーム２の後端に係止する第１係止フック３１１が、フレーム２の中心を向いて成形されており、また、固定挟持具３１には、フレーム２の前端に係止する第２係止フック３１２が、フレーム２の中心を向いて成形されている。固定挟持具３１には、フレーム２の中心から離れる方向に延びる留め鈎３１３が成形されている。可動挟持具３２には、留め鈎３１３と適合する留め溝３２０が設けられている。可動挟持具３２は、固定挟持具３１に対して回動することができ、留め鈎３１３を留め溝３２０に係合させることにより、ごみ袋をフレーム２に固定する。
【００２０】
図４〜５に示すように、フレーム２の最上端の中央部には、中空管状の接続ベース２２が成形されている。接続ベース２２は、ベース４を介して取り外し可能に内管１２の最下端に接続される。ベース４は接続ベース２２の内部に位置する。内管１２の下端はベース４に挿入される。接続ベース２２の管壁には、位置制限孔２２１が設けられている。ベース４には位置制限孔２２１と適合する弾性ボタン４１が設けられており、径方向にボタン４１を押すことによって、ベース４と接続ベース２２との間の接続を解除することができる。ベース４の底部にはさらに、内管１２の下端端部を位置決めできる位置制限凹溝４２が成形されている。他の実施例では、フレーム２と柄１との取り外し可能な接続は、例えば、ねじ山、バックル構造、ロック装置等の他の形式であってもよいことを理解されたい。
【００２１】
図４および図６に示すように、外管１１の下端には、保護カバー５３が固定して接続されている。保護カバー５３の内壁には、外管１１の下端面を置くステップ部５３０が成形されている。そして、ステップ部５３０の上方に位置する保護カバー５３の内壁が外管１１の外壁に接触し、ステップ部５３０の下方に位置する保護カバー５３の内壁が内管１２の外壁に接触する。伸縮可能構造は、外管１１の内部に設置される開口膨張リング５１と、内管１２の上端に設置される錐形スクリューロッド５２と、を含む。錐形スクリューロッド５２は、固定端および錐形駆動端を含む。固定端は延びて内管１２の内部に固定される。錐形駆動端には、ねじ山５２１が成形されている。固定端と錐形駆動端との接続箇所には、肩部５２２が成形されており、内管１２の上端面が肩部５２２の底部を押し支える。膨張リング５１は、膨張および収縮する機能を有し、その内壁にはねじ山５２１と適合するねじ溝５１１が成形されている。錐形スクリューロッド５２の最上端にはさらに、内管１２が外管１１から外れてしまうのを防ぐ逸脱防止エンドキャップ５２３が設置されている。内管と外管の相対位置を固定する必要がある時、内管１２を回すことによって、駆動端のねじ山５２１が膨張リング５１のねじ溝５１１に沿って螺旋状に上昇し、膨張リング５１が次第に拡張する。そして、最終的には膨張リング５１が外管１１の内壁を圧迫し、外管１１が膨張リング５１に対して移動できないようにする。これにより、内管と外管の間の相対位置が固定される。内管と外管の間の相対位置を調節する必要がある時、内管１２を逆に回すと、駆動端のねじ山５２１が膨張リング５１のねじ溝５１１に沿って螺旋状に下降する。膨張リング５１は張力を受けないので収縮して元の形に戻る。これにより、膨張リング５１の、外管１１の内壁に対する押圧が解除され、内管と外管の間の相対位置を自由に調節することができる。これにより、柄１の長さを実際のニーズに応じて調節することができる。他の実施例において、柄１の伸縮可能構造は、例えば複数の管体の相対位置のロック装置、または位置決め構造などの他の形式でもよいことを理解されたい。
【００２２】
図１に示すように、清掃時には、ごみ袋をフレーム２に被せて入れ、挟持具３によってごみ袋を固定し、ごみを直接ごみ袋に掃き入れる。このごみ収集器具は、塵取りの機能と家庭用ごみ箱の機能を一体化しているので、掃除と袋への投入をワンステップで実現でき、清掃効率が高い。清掃後のごみ袋の交換が簡単である。
【図１】
0003221813.tif 000003
【図２】
0003221813.tif 000004
【図３】
0003221813.tif 000005
【図４】
0003221813.tif 000006
【図５】
0003221813.tif 000007
【図６】
0003221813.tif 000008